(57)【要約】【課題】ゴミの削減化を図ることが注出口付き袋を提供することを主要な目的とする。【解決手段】詰め替えパウチ１は、一方の壁面フィルム１ａと他方の壁面フィルム１ｂからなる前後２面の壁面フィルムを備え、指つまみ部６を指でつまんで切断線７を切り裂くことによって開封する、その外周をヒートシールして形成された注出口２が、袋の上部の一部に設けられた注出口付き袋１において、上記切断線７の終端１１の位置は、上記切り裂きを終了した時に、指つまみ部分６が、当該袋の本体から切り離されないように、前後２面の壁面フィルム１ａ、１ｂの面内に選ばれていることを特徴とする。【選択図】図１
2017013819.tif 000002
【特許請求の範囲】
【請求項１】
一方の壁面フィルムと他方の壁面フィルムからなる前後２面の壁面フィルムを備え、
指つまみ部を指でつまんで切断線を切り裂くことによって開封する、その外周をヒートシールして形成された注出口が、袋の上部の一部に設けられた注出口付き袋において、
前記切断線の終端の位置は、前記切り裂きを終了した時に、前記指つまみ部分が、当該袋の本体から切り離されないように、前記前後２面の壁面フィルムの面内に選ばれていることを特徴とする注出口付き袋。
【請求項２】
前後２面の壁面フィルムには、前記注出口の先端を他の容器の口にあてがって内容物を移し替える際に、残存している前記指つまみ部が邪魔にならないように固定する固定手段が設けられている、請求項１に記載の注出口付き袋。
【請求項３】
前記固定手段は、前記指つまみ部の底辺に設けられた、前記切り裂きを終了した時に、当該袋の本体から切り離されずに残された前記指つまみ部を、詰め替えを行うときに邪魔にならないように、袋の上辺に引っ掛けるＶ字状に形成されたＶ溝を含む、請求項２に記載の注出口付き袋。
【請求項４】
前記固定手段は、前記前後２面の壁面フィルムに設けられた、前記切り裂きを終了した時に、当該袋の本体から切り離されずに残された前記指つまみ部を、詰め替えを行うときに邪魔にならないように、嵌め入れて固定するスリットを含む、請求項２に記載の注出口付き袋。
【請求項５】
前記固定手段は、前記切断線が切り裂かれたときに、前記指つまみ部が、取っ手の一部になるような形状を含む請求項２に記載の注出口付き袋。
【発明の詳細な説明】
【技術分野】
【０００１】
本発明は一般に注出口付き袋に関するものであり、より特定的には、注出口の先端が分離せず、小さなゴミが出ないように改良された注出口付き袋に関する。
【背景技術】
【０００２】
従来、各種液体化粧品、クレンザー、洗剤、柔軟剤、エマルジョン糊、各種飲料、醤油、ソース、麺つゆなどの液体調味料のような液状物や、粉乳、ココアなどの粉体は、主に、プラスチックボトル、ガラス瓶、金属缶などの保形性のある容器に充填され、流通・使用に供され、使用後の容器は廃棄処分にされていた。しかし、そのため資源が消費され、商品に占める容器コストの割合も無視できないものがあった。そこで、廃棄物処理の問題も考慮し、これらの容器は、使用後、分別処理され、回収、リサイクルすることも進められている。
【０００３】
このような見地から、使用後のボトルなどの容器に同一内容物を補充するために用いる図７（Ａ）（Ｂ）に示すような詰め替えパウチが流通している。
【０００４】
従来の詰め替えパウチ１の基本的構成は、図７（Ａ）（Ｂ）に示すように、前後２面の壁面フィルム１ａ、１ｂを備え、これらの側部と上部と下部をシールしてなる。図中、斜めのハッチングで示した部分がシール部１２である。袋の上部の一部に、その外周をヒートシールしてなる注出口２が設けられている。詰め替えパウチ１は、壁面フィルム１ａ、１ｂの下部の間に、底面フィルム３を内側に向けて折り返し、底面フィルム折り返し部４まで挿入してなるガゼット５を有する。底面フィルム３を広げると、図６（Ｂ）に示すように自立する。
【０００５】
図７と図８を参照して、内容物を他の容器に移し替える際には、詰め替えパウチ１の指つまみ部６を指でつまんで、切断線７を、注出口２の先端の一方の側から他方の側へ切り裂いて、図８（Ａ）に示すような指つまみ部６を取り去って、注出口２を開封する。次に、図８（Ｂ）に示すように、注出口２を、たとえばネジ口容器８のネジ口９にあてがって、そのまま傾けて、内容物１０を移し替える。
【発明の概要】
【発明が解決しようとする課題】
【０００６】
従来の詰め替えパウチは以上のように構成されていたので、注出口２を開封の際に、図８（Ａ）に示すような、切り取られた指つまみ部６が生じ、小さなゴミとなり、扱いが煩わしいという課題があった。
【０００７】
本発明は、上記のような課題を解決するためになされたもので、小さなゴミが出ないように改良された注出口付き袋を提供することを目的とする。
【課題を解決するための手段】
【０００８】
本発明に係る注出口付き袋は、一方の壁面フィルムと他方の壁面フィルムからなる前後２面の壁面フィルムを備え、指つまみ部を指でつまんで切断線を切り裂くことによって開封する、その外周をヒートシールして形成された注出口が、袋の上部の一部に設けられた注出口付き袋において、上記切断線の終端の位置は、上記切り裂きを終了した時に、上記指つまみ部分が、当該袋の本体から切り離されないように、前記前後２面の壁面フィルムの面内に選ばれていることを特徴とする。
【０００９】
上記切断線の終端の位置は、上記切り裂きを終了した時に、上記指つまみ部分が、当該袋の本体から切り離されないように前記前後２面の壁面フィルムの面内に選ばれているので、上記指つまみ部分が、当該袋の本体から切り離されない。
【００１０】
前後２面の壁面フィルムには、上記注出口の先端を他の容器の口にあてがって内容物を移し替える際に、残存している上記指つまみ部が邪魔にならないように固定する固定手段が設けられているのが好ましい。
【００１１】
上記固定手段は、上記指つまみ部の底辺に設けられたＶ字状に形成されたＶ溝を含む。上記切り裂きを終了した時に、当該袋の本体から切り離されずに残された上記指つまみ部を、詰め替えを行うときに邪魔にならないように、上記Ｖ溝を袋の上辺に引っ掛けることにより固定する。
【００１２】
上記固定手段は、上記前後２面の壁面フィルムに設けられたスリットを含む。上記切り裂きを終了した時に、当該袋の本体から切り離されずに残された上記指つまみ部を、詰め替えを行うときに邪魔にならないように、上記スリットに嵌め入れて固定する。
【００１３】
上記固定手段は、上記切断線が切り裂かれたときに、上記指つまみ部が、取っ手の一部になるような形状を含む。
【００１４】
注出口付き袋を構成するフィルムは、主にプラスチックを主体とする積層フィルムを用いるが、特に限定はされず、液状などの内容物の包装用袋に用いられている公知の積層フィルムは、いずれも使用することができ、充填する内容物の種類や充填後の加熱処理の有無など、使用条件に応じて適する材料を自由に選択して使用することができる。
【００１５】
本発明の好ましい実施態様によれば、上記２面の壁面フィルムの樹脂構成は、ナイロン/接着剤層/ＬＬ（linear low density polyethylene）シール層、ＰＥＴ（ポリエチレンテレフタレート）/ナイロン/接着剤層/ＬＬシール層又はナイロン/蒸着ＰＥＴフィルム/ＬＬシール層である。蒸着ＰＥＴフィルムとは、アルミニウムを高真空状態で気化させ、その蒸気をＰＥＴフィルム表面に付着させたものをいう。
【００１６】
上記袋は、自立性を有する形式に形成されていてもよい。例えば、スタンディングパウチや、フラットボトムタイプのガゼット袋が例示される。
【発明の効果】
【００１７】
本発明によれば、上記切断線の終端の位置は、上記切り裂きを終了した時に、上記指つまみ部分が、当該袋の本体から切り離されないように前記前後２面の壁面フィルムの面内に選ばれているので、上記指つまみ部分が、当該袋の本体から切り離されない。ひいては、ゴミが出ない。
【図面の簡単な説明】
【００１８】
【図１】（Ａ）は実施例１に係る注出口付き袋の正面図であり、（Ｂ）は、図１（Ａ）におけるＢ−Ｂ線に沿う断面図である。
【図２】実施例１に係る注出口付き袋の動作を説明する図である。
【図３】（Ａ）は実施例１の変形例に係る注出口付き袋の正面図であり、（Ｂ）−（Ｄ）は動作を説明する図である。
【図４】（Ａ）は実施例２に係る詰め替えパウチの正面図であり、（Ｂ）−（Ｄ）は、注出口の開封の動作を説明する図である。
【図５】実施例３に係る詰め替えパウチを説明する図である。
【図６】実施例３に係る詰め替えパウチの開封の動作を説明する図である。
【図７】（Ａ）は、従来の注出口付き袋の正面図であり、（Ｂ）はガゼット部を開いて自立させた時の正面図である。
【図８】従来の注出口付き袋の問題点を説明するための図である。
【発明を実施するための最良の形態】
【００１９】
注出口の開封の際にゴミが出ない注出口付き袋を得るという目的を、上記注出口の先端を開封するための切断線の終端の位置を、切り裂きを終了した時に、指つまみ部分が、当該袋の本体から切り離されないように前後２面の壁面フィルムの面内に選ぶことによって実現した。
【００２０】
以下、この発明の実施例を、図を用いて説明する。各図において同一又は相当する部分には同一の参照番号を付し、その説明を繰り返さない。また、動作を説明する図において、図面の簡略化のため、シール部のハッチングの図示を省略する。
【実施例１】
【００２１】
図１（Ａ）（Ｂ）を参照して、実施例１に係る詰め替えパウチ１は、その外周をヒートシールして形成された注出口２が、袋の上部の一部に設けられている。図中、斜めのハッチングで示した部分がシール部１２である。詰め替えパウチ１は、一方の壁面フィルム１ａと他方の壁面フィルム１ｂからなる前後２面の壁面フィルムを備える。２面の壁面フィルム１ａ、１ｂには、指つまみ部６を指でつまんで、注出口２の先端の一方の側から他方の側へ切り裂いて注出口２の先端を開封するための切断線７が設けられている。切断線７の終端１１の位置は、切り裂きを終了した時に、指つまみ部分６が、当該袋の本体から切り離されないように前後２面の壁面フィルム１ａ、１ｂの面内に選ばれている。また、後述するように、切断線７の形状は、指つまみ部６の底辺にＶ字状に形成されたＶ溝１３ができるように、選ばれている。
【００２２】
開封の動作について説明する。図１（Ａ）と図２（Ａ）を参照して、指つまみ部６を指でつまんで、切断線７を注出口２の先端の一方の側から他方の側へ切り裂いて、注出口２の先端を開封する。このとき、切断線７の終端１１は壁面フィルム１ａ、１ｂ内にあり、指つまみ部６は、袋の本体、つまり２面の壁面フィルム１ａ、１ｂにつながっている。したがって、従来のように、指つまみ部６が袋の本体から切り離されてゴミになるという弊害は生じない。
【００２３】
次に、図２（Ａ）（Ｂ）を参照して、指つまみ部６の底辺にはＶ字状に形成されたＶ溝１３ができるように、上記切断線７の形状が選ばれており、指つまみ部６を紙面の向こう側、すなわち後ろに回して、指つまみ部６の底辺のＶ溝１３を袋の上辺１４に引っ掛ける、すなわち上辺１４に係合させる。指つまみ部６をこのように袋の上辺１４に引っ掛けると、図２（Ｃ）に示すように、注出口２の先端をネジ口容器８のネジ口９にあてがって内容物１０を移し替える際に、残存している指つまみ部６がぶらぶらせず邪魔にならない。
【００２４】
２面の壁面フィルム１ａ、１ｂの樹脂構成は、ナイロン（１５μｍ）/接着剤層/ＬＬシール層（１２０μｍ）、ＰＥＴ（１２μｍ）/ナイロン（１５μｍ）/接着剤層/ＬＬシール層（１２０μｍ）又はナイロン（１５μｍ）/蒸着ＰＥＴフィルム（１２μｍ）/ＬＬシール層（１２０μｍ）である。
【００２５】
図３は、実施例１に係る詰め替えパウチの変形例を示す図である。実施例１では、切断線７の形状が、３つの直線が角を作りながら繋がった、角張った形状をしていたが、この発明はこれに限られるものでなく、図３（Ａ）に示すように、切断線７の形状は、注出口２の先端を切る直線部分７ａと、Ｕ字状の角のない曲線部分７ｂとがつながった形状であってもよい。Ｕ字状の角のない曲線部分７ｂは、直線部分７ａとの交差点から延びる延長部の切れ込み７ｃを有する。図３（Ｂ）（Ｃ）に示すように、指つまみ部６を紙面の向こう側、すなわち後ろに回して、指つまみ部６の底辺のＶ溝１３を袋の上辺１４に引っ掛ける。このとき、延長部の切れ込み７ｃの部分まで、上辺１４を深く嵌め込むと、指つまみ部６は上辺にしっかりと固定される。指つまみ部６をこのように袋の上辺１４に引っ掛けると、図３（Ｄ）に示すように、内容物を移し替える際に、残存している指つまみ部６がぶらぶらせず邪魔にならない。
【実施例２】
【００２６】
図４（Ａ）、（Ｂ）、（Ｃ）、（Ｄ）は、実施例２に係る詰め替えパウチを説明する図である。以下の点を除いて実施例１に係る構成と同じである。実施例１と異なる点は、図３（Ａ）に示すように、前後２面の壁面フィルム１ａ、１ｂに、切断線７の切り裂きを終了した時に、当該袋の本体から切り離されずに残された指つまみ６部を、詰め替えを行うときに邪魔にならないように、嵌め入れて固定するスリット１５が袋の上辺のシール部１２に設けられている点である。
【００２７】
動作について説明すると、図４（Ａ）（Ｂ）を参照して、指つまみ部６を指でつまんで、切断線７を注出口２の先端の一方の側から他方の側へ切り裂いて、注出口２の先端を開封する。
【００２８】
図４（Ｃ）を参照して、当該袋の本体から切り離されずに残された指つまみ部６を、前後２面の壁面フィルム１ａ、１ｂに設けられたスリット１５に嵌め入れて固定する。このように指つまみ部６を固定すると、図４（Ｄ）に示すように、注出口２の先端をネジ口容器８のネジ口９にあてがって内容物１０を移し替える際に、残存している指つまみ部６が邪魔にならない。
【実施例３】
【００２９】
図５は、実施例３に係る詰め替えパウチを説明する図である。以下の点を除いて実施例１に係る構成と同じである。実施例１と異なる点は、注出口２を挟む両側に周囲がシールされた空き三角形部１６を設け、切断線７が切られたときに、袋本体から切り離されずに残存する指つまみ部６が、取っ手の一部になる点である。
【００３０】
動作について説明すると、図６（Ａ）に示すように、指つまみ部６を指でつまんで、切断線７を注出口２の先端の一方の側から他方の側へ切り裂いて、注出口２の先端を開封する。図６（Ｂ）は、切断線を切り裂いた時の状態図である。切断線７の終端は壁面フィルム１ａ、１ｂ内にあり、切断線７を切り裂いた後、指つまみ部６は、取っ手の形状になって、袋本体部分につながって残存する。取っ手形状の指つまみ部６を紙面の向こう側に折り返し、図６（Ｃ）に示すように、親指で、裏返しになった指つまみ部６を袋の本体部分に押し付けて固定する。このように指つまみ部６を固定すると、注出口２の先端をネジ口容器８のネジ口９にあてがって内容物１０を移し替える際に、残存している指つまみ部６が邪魔にならない。
【００３１】
得られた詰め替えパウチは、台所用洗剤、お風呂の洗剤、ハンドソープ、ボディソープ、シャンプー、リンス、コンディショナーなどに利用することができる。
【００３２】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３３】
本発明に係る注出口付き袋によれば、指つまみ部が本体の袋から切り離されてゴミになるという弊害はない。搬出ゴミの削減化を図ることができる。
【符号の説明】
【００３４】
１     詰め替えパウチ
１ａ、１ｂ    壁面フィルム
２     注出口
３     底面フィルム
４     底面フィルム折り返し部
５     ガゼット
６     指つまみ部
７     切断線
７ａ   直線部分
７ｂ   曲線部分
７ｃ   延長部の切れ込み
８     ネジ口容器
９     ネジ口
１０   内容物
１１   終端
１２   シール部
１３   Ｖ溝
１４   上辺
１５   スリット
１６   空き三角形部
【図１】
2017013819.tif 000003
【図３】
2017013819.tif 000004
【図４】
2017013819.tif 000005
【図６】
2017013819.tif 000006
【図７】
2017013819.tif 000007
【図２】
2017013819.tif 000008
【図５】
2017013819.tif 000009
【図８】
2017013819.tif 000010